(57)【要約】【課題】重量バランスがとれる構造や、小型化できる構造や、利便性を向上する構造の、スクリーンを提供すること。【解決手段】スクリーン１は、スクリーン本体１２と、固定支柱１５と、スクリーン本体１２を支持する第１、第２支持部１３，１４と、複数のアーム部材を有し、固定支柱１５と第１支持部１３、固定支柱１５と第２支持部１４との間に伸縮可能に設置される第１、第２パンタグラフ機構１６，１７と、固定支柱１５に固定され、第１、第２パンタグラフ機構１６，１７のアーム部材を回動可能に軸支するアーム固定部１８と、固定支柱１５に沿ってスライド自在に支持され、第１、第２パンタグラフ機構１６，１７のアーム部材を回動可能に軸支するアームスライド部１９と、を備え、アームスライド部１９のスライドにより、第１、第２パンタグラフ機構１６，１７が伸縮し、第１、第２支持部１３，１４を近接および離間させる。【選択図】図２
2010019953.tif 000002
【特許請求の範囲】
【請求項１】
可撓性を有し、画像光が投影されるスクリーン本体と、
略中央に配置される固定支柱と、
前記固定支柱を中心に配置され、それぞれの間に前記スクリーン本体を支持し、一方に前記スクリーン本体を巻き取る巻取部を有する第１支持部および第２支持部と、
交差して連結された複数のアーム部材を有し、前記固定支柱と前記第１支持部との間、および前記固定支柱と前記第２支持部との間に伸縮可能に設置される第１パンタグラフ機構および第２パンタグラフ機構と、
前記固定支柱に固定され、前記固定支柱側に設置される前記第１パンタグラフ機構の交差する一方の前記アーム部材と、前記固定支柱側に設置される前記第２パンタグラフ機構の交差する一方の前記アーム部材とを回動可能に軸支するアーム固定部と、
前記固定支柱に沿ってスライド自在に支持され、前記固定支柱側に設置される前記第１パンタグラフ機構の交差する他方の前記アーム部材と、前記固定支柱側に設置される前記第２パンタグラフ機構の交差する他方の前記アーム部材とを回動可能に軸支するアームスライド部と、を備え、
前記アームスライド部をスライドすることにより、前記第１パンタグラフ機構および前記第２パンタグラフ機構が伸縮し、前記第１支持部および前記第２支持部を近接および離間させることを特徴とするスクリーン。
【請求項２】
請求項１に記載のスクリーンであって、
前記第１支持部は、当該第１支持部側に設置される前記第１パンタグラフ機構の交差する一方の前記アーム部材を回動可能に軸支する第１固定部と、他方の前記アーム部材をスライド自在および回動可能に軸支する第１スライド固定部と、を備え、
前記第２支持部は、当該第２支持部側に設置される前記第２パンタグラフ機構の交差する一方の前記アーム部材を回動可能に軸支する第２固定部と、他方の前記アーム部材をスライド自在および回動可能に軸支する第２スライド固定部と、を備えていることを特徴とするスクリーン。
【請求項３】
請求項１または請求項２に記載のスクリーンであって、
前記アームスライド部は、前記固定支柱の所定の位置で固定可能とする支柱スライド固定部を備えていることを特徴とするスクリーン。
【請求項４】
請求項３に記載のスクリーンであって、
前記支柱スライド固定部は、前記所定の位置に前記アームスライド部を固定することにより、投影される前記画像光のアスペクト比に、前記スクリーン本体に形成される投影領域のアスペクト比を対応させていることを特徴とするスクリーン。
【請求項５】
請求項３または請求項４に記載のスクリーンであって、
前記アームスライド部は、前記支柱スライド固定部を別体として備えていることを特徴とするスクリーン。
【請求項６】
請求項１〜請求項５のいずれか一項に記載のスクリーンであって、
前記第１支持部および前記第２支持部を離間させる方向に付勢する付勢部を備えていることを特徴とするスクリーン。
【請求項７】
請求項６に記載のスクリーンであって、
前記付勢部は、前記第１支持部および前記第２支持部の少なくとも一方に設置されていることを特徴とするスクリーン。
【請求項８】
請求項６に記載のスクリーンであって、
前記付勢部は、前記固定支柱に設置されていることを特徴とするスクリーン。
【請求項９】
請求項６に記載のスクリーンであって、
前記付勢部は、前記第１パンタグラフ機構および前記第２パンタグラフ機構の少なくとも一方の前記アーム部材に設置されていることを特徴とするスクリーン。
【請求項１０】
請求項６〜請求項９のいずれか一項に記載のスクリーンであって、
前記付勢部は、コイルばねにより構成されていることを特徴とするスクリーン。
【請求項１１】
請求項１〜請求項１０のいずれか一項に記載のスクリーンであって、
前記固定支柱、および前記第１パンタグラフ機構と前記第２パンタグラフ機構とを構成する前記複数のアーム部材は、中空柱状の部材で形成されていることを特徴とするスクリーン。
【請求項１２】
請求項１〜請求項１１のいずれか一項に記載のスクリーンであって、
前記固定支柱に接続して当該スクリーンを起立させて支持し、当該スクリーンが設置される設置面に当接する複数の脚部を有する支持脚を備えていることを特徴とするスクリーン。
【発明の詳細な説明】
【技術分野】
【０００１】
本発明は、スクリーンに関する。
【背景技術】
【０００２】
従来、スクリーンは、プロジェクタなどから拡大投射された画像光を、可撓性を有するシート状のスクリーン本体のスクリーン面に投影させて使用されている。その中で、使用者が持ち運んで使用する可搬型のスクリーンも様々なものが使用されている。
【０００３】
なお、可搬型スクリーンの中で、左右方向にスクリーン本体を開閉させるスクリーンは、一般的に、画像光が投影されるスクリーン本体、スクリーン本体を左右で支持する支柱、スクリーン本体を左右方向に開閉するための開閉機構、およびスクリーン本体・支柱・開閉機構を保持する主支柱などを有して構成されている。また、これら構成部は、一般的に、前方にスクリーン本体および支柱が配置され、その後方に開閉機構が配置され、その後方に主支柱が配置される。
【０００４】
なお、一般的な可搬型スクリーンの構造において、構成部が上述した配置となるため、スクリーンの重心が、主支柱の前方側に偏り、スクリーンは、前方側に倒れ易くなる。そのため、設置面に対してスクリーンを垂直に起立させて保持させるために、主支柱の剛性を向上させ、また、スクリーンを起立させて支持する支持脚などを大型化するなどの対策をとっている。
【０００５】
なお、特許文献１に開示されるスクリーンは、左右方向に伸縮するパンタグラフ機構の左端で左側可動支柱を支持し、その右側で右側可動支柱を支持し、そして、固定支柱はパンタグラフ機構の中央部を保持する。そして、右側可動支柱および左側可動支柱の間にスクリーン本体を張る。また、右側可動支柱および左側可動支柱の少なくとも一方はスクリーン本体の巻き取り収納部を有している。また、スクリーンは、パンタグラフ機構に駆動力を与える駆動機構を備えており、この駆動機構には、クラッチ部を有している。
このように構成されるスクリーンは、駆動機構の駆動により、パンタグラフ機構を伸縮させ、スクリーンを自動的に開閉させることができる。また、パンタグラフ機構が障害物に接触して伸縮が不可能となった場合には、クラッチ部が動作することで、駆動機構を保護する。
【０００６】
【特許文献１】特開２００７−２１９２７９号公報
【発明の開示】
【発明が解決しようとする課題】
【０００７】
しかし、特許文献１に記載のスクリーンでは、一般的に、スクリーン本体の構成が複雑になると共に大型化し、重量も重くなるという問題がある。従って、使用者が持ち運んで使用する可搬型のスクリーンとしては不向きであった。
【０００８】
また、上述した一般的な可搬型スクリーンにおいては、スクリーンの構成上、主支柱の剛性を向上させるために、主支柱を太くすることなどが必要となり、その分、スクリーン装置が大型化し、重量も増すことになる。これにより、スクリーンの可搬性が低下し、結果、スクリーンの利便性が低下するという課題があった。従って、重量バランスがとれる構造や、小型化できる構造や、利便性を向上する構造の、スクリーンが要望されていた。
【課題を解決するための手段】
【０００９】
本発明は、上述した課題の少なくとも一部を解決するためになされたものであり、以下の形態または適用例として実現することが可能である。
【００１０】
（適用例１）本適用例に係るスクリーンは、可撓性を有し、画像光が投影されるスクリーン本体と、略中央に配置される固定支柱と、固定支柱を中心に配置され、それぞれの間にスクリーン本体を支持し、一方にスクリーン本体を巻き取る巻取部を有する第１支持部および第２支持部と、交差して連結された複数のアーム部材を有し、固定支柱と第１支持部との間、および固定支柱と第２支持部との間に伸縮可能に設置される第１パンタグラフ機構および第２パンタグラフ機構と、固定支柱に固定され、固定支柱側に設置される第１パンタグラフ機構の交差する一方のアーム部材と、固定支柱側に設置される第２パンタグラフ機構の交差する一方のアーム部材とを回動可能に軸支するアーム固定部と、固定支柱に沿ってスライド自在に支持され、固定支柱側に設置される第１パンタグラフ機構の交差する他方のアーム部材と、固定支柱側に設置される第２パンタグラフ機構の交差する他方のアーム部材とを回動可能に軸支するアームスライド部と、を備え、アームスライド部をスライドすることにより、第１パンタグラフ機構および第２パンタグラフ機構が伸縮し、第１支持部および第２支持部を近接および離間させることを特徴とする。
【００１１】
このスクリーンは、第１パンタグラフ機構と第２パンタグラフ機構との２つの分割された構成を有し、固定支柱を略中心として、第１支持部および第２支持部との間にそれぞれ設置される。この構成により、従来のような第１パンタグラフ機構と第２パンタグラフ機構とが一体に構成されて固定支柱で保持するパンタグラフ機構を有するスクリーンに比べて、第１パンタグラフ機構および第２パンタグラフ機構の、スクリーン本体や固定支柱に対する配置位置の自由度が増すことで、スクリーンの重量のバランス中心を固定支柱の支柱方向に設定することができるため、従来のように固定支柱を太くすることで重量バランスを補うことなどが不必要となる。
【００１２】
また、１つのアーム固定部が、固定支柱に固定されており、固定支柱側に設置される第１パンタグラフ機構および第２パンタグラフ機構のそれぞれ一方のアーム部材を回動可能に軸支する。そして、１つのアームスライド部が、固定支柱に沿ってスライド自在に支持されており、固定支柱側に設置される第１パンタグラフ機構および第２パンタグラフ機構のそれぞれ他方のアーム部材を回動可能に軸支してスライドする。この構成により、２つのスライドする構成部を用いて、第１パンタグラフ機構および第２パンタグラフ機構のそれぞれ両方のアーム部材を回動可能に軸支して、かつ、スライド可能に構成した場合に比べて、スライドする構成部（アームスライド部）を１つで構成するため、コンパクトに構成できる。また、スライドする構成部（アームスライド部）を１つで構成し、アーム部材の一方を固定して他方だけをスライドさせるため、スライドする構成部を２つで構成する場合に比べ、第１パンタグラフ機構と第２パンタグラフ機構とを安定させて伸縮させることができるため、第１支持部および第２支持部を安定させて近接および離間させることができる。
従って、このように構成することで、重量バランスがとれ、小型化でき、安定させて第１支持部および第２支持部を近接および離間させる構造のスクリーンが実現できる。
【００１３】
（適用例２）上記のスクリーンであって、第１支持部は、第１支持部側に設置される第１パンタグラフ機構の交差する一方のアーム部材を回動可能に軸支する第１固定部と、他方のアーム部材をスライド自在および回動可能に軸支する第１スライド固定部と、を備え、第２支持部は、第２支持部側に設置される第２パンタグラフ機構の交差する一方のアーム部材を回動可能に軸支する第２固定部と、他方のアーム部材をスライド自在および回動可能に軸支する第２スライド固定部と、を備えていることが好ましい。
【００１４】
上記のスクリーンでは、第１支持部は、第１固定部と第１スライド固定部とを備え、第２支持部は、第２固定部と第２スライド固定部とを備える。この構成により、アームスライド部をスライドすることにより、第１パンタグラフ機構および第２パンタグラフ機構が伸縮し、第１支持部および第２支持部を近接および離間させることにより、スクリーン本体は、張設されて開閉する。
【００１５】
この構成により、スライドする構成部（第１スライド固定部、第２スライド固定部）をそれぞれ１つで構成しているため、第１支持部および第２支持部に、それぞれ２つのスライドする構成部を用いて、第１パンタグラフ機構および第２パンタグラフ機構のそれぞれ両方のアーム部材を回動可能に軸支して、かつ、スライド可能に構成した場合に比べて、コンパクトに構成できる。また、スライドする構成部（第１スライド固定部、第２スライド固定部）をそれぞれ１つで構成し、アーム部材の一方を固定して他方だけをスライドするため、スライドする構成部をそれぞれ２つで構成する場合に比べ、第１パンタグラフ機構および第２パンタグラフ機構を安定させて伸縮させることができ、スクリーン本体を安定させて開閉できる。
【００１６】
（適用例３）上記のスクリーンであって、アームスライド部は、固定支柱の所定の位置で固定可能とする支柱スライド固定部を備えていることが好ましい。
【００１７】
上記のスクリーンでは、支柱スライド固定部を備え、固定支柱の所定の位置でアームスライド部を固定する。これにより、アームスライド部を固定する位置を設定することで、スクリーン本体の画像光が投影されるスクリーン面の領域（投影領域）を設定することが可能となり、また、所望するスクリーン面の領域を確保できる大きさまでスクリーン本体を展開して固定することが容易となる。従って、スクリーン本体を使用者の所望するコンパクトな展開長さに設定可能となり、スクリーンの利便性が向上する。
【００１８】
（適用例４）上記のスクリーンであって、支柱スライド固定部は、所定の位置にアームスライド部を固定することにより、投影される画像光のアスペクト比に、スクリーン本体に形成される投影領域のアスペクト比を対応させていることが好ましい。
【００１９】
上記のスクリーンでは、投影される画像光のアスペクト比が、例えば「１６：９」であった場合、第１支持部と第２支持部とが離間することで、スクリーン本体が展開して形成される投影領域のアスペクト比も、「１６：９」となるように、支柱スライド固定部をスライドさせて所定の位置にアームスライド部を固定する。言い換えると、所定の位置は、投影される画像光のアスペクト比と、スクリーン本体に形成される投影領域のアスペクト比とが一致するような位置に設定されていることになる。
【００２０】
これにより、投影される画像光のアスペクト比が、例えば「１６：１０」、「４：３」であった場合、スクリーン本体に形成される投影領域のアスペクト比も、「１６：１０」、「４：３」となるため、使用者が所望するアスペクト比に対応する投影領域に容易に設定することができ、スクリーンの利便性を向上することができる。また、画像光のアスペクト比に対応させて、スクリーン本体の投影領域を設定することで、スクリーン本体の上下方向もしくは左右方向に余白が残ることを極力抑えることができ、使用者に与える視覚的な違和感を低減することができる。
【００２１】
（適用例５）上記のスクリーンであって、アームスライド部は、支柱スライド固定部を別体として備えていることが好ましい。
【００２２】
上記のスクリーンでは、アームスライド部が、第１パンタグラフ機構および第２パンタグラフ機構のそれぞれに交差するアーム部材を回動可能に軸支する部分と、支柱スライド固定部と、を別体として備えることにより、支柱スライド固定部を、容易に、所望する所定の位置に固定させることができる。その後、アーム部材を回動可能に軸支する部分を支柱スライド固定部にスライドさせることで良く、アームスライド部の操作性を向上することができる。
【００２３】
（適用例６）上記のスクリーンであって、第１支持部および第２支持部を離間させる方向に付勢する付勢部を備えていることが好ましい。
【００２４】
上記のスクリーンでは、第１支持部および第２支持部を離間させる方向に付勢する付勢部を備えていることにより、スクリーン本体を展開する場合に、使用者の第１支持部および第２支持部を離間させる力や、アームスライド部をスライドさせる力などを低減させることができる。
【００２５】
（適用例７）上記のスクリーンであって、付勢部は、第１支持部および第２支持部の少なくとも一方に設置されていることが好ましい。
【００２６】
上記のスクリーンでは、付勢部は、第１支持部および第２支持部の少なくとも一方に設置されていることにより、スクリーン本体を展開する場合に使用者が必要とする力を低減させることができる。また、第１支持部や第２支持部の内部に付勢部を収容することもできることにより、外観上、違和感なく設置でき、使用者が展開操作を行なう場合に、付勢部に手などを当てることなどの不具合も防止でき、操作の安全性を向上できる。また、特に、スクリーン本体を巻き取る巻取部を例えば第１支持部に設置した場合、第２支持部に付勢部を設置することにより、固定支柱を中心とした第１支持部および第２支持部の重量バランスをとることができるため、スクリーン本体のスクリーン面方向の傾きを抑えることができる。
【００２７】
（適用例８）上記のスクリーンであって、付勢部は、固定支柱に設置されていることが好ましい。
【００２８】
上記のスクリーンでは、付勢部は、固定支柱に設置されていることにより、スクリーン本体を展開する場合に使用者が必要とする力を低減させることができる。また、固定支柱の内部に付勢部を収容することもできることにより、外観上、違和感なく設置でき、使用者が展開操作を行なう場合に、付勢部に手などを当てることなどの不具合も防止でき、操作の安全性を向上できる。
【００２９】
（適用例９）上記のスクリーンであって、付勢部は、第１パンタグラフ機構および第２パンタグラフ機構の少なくとも一方のアーム部材に設置されていることが好ましい。
【００３０】
上記のスクリーンにより、スクリーン本体を展開する場合に使用者が必要とする力を低減させることができる。
【００３１】
（適用例１０）上記のスクリーンであって、付勢部は、コイルばねにより構成されていることが好ましい。
【００３２】
上記のスクリーンでは、付勢部は、コイルばねにより構成されることにより、製造および組み立てが容易となる。また、長期の信頼性が確保される。
【００３３】
（適用例１１）上記のスクリーンであって、固定支柱、および第１パンタグラフ機構と第２パンタグラフ機構とを構成する複数のアーム部材は、中空柱状の部材で形成されていることが好ましい。
【００３４】
上記のスクリーンでは、固定支柱、および第１パンタグラフ機構と第２パンタグラフ機構とを構成する複数のアーム部材は、中空柱状の部材で形成されることにより、固定支柱や複数のアーム部材に必要な剛性力を確保することができ、また、第１パンタグラフ機構および第２パンタグラフ機構を伸縮させた場合（特に折り畳んだ場合）に、アーム部材が例えば板部材を打ち抜き加工で成形して構成した場合に比べ、交差するアーム部材に指などを挟む危険性を低減できる。
【００３５】
（適用例１２）上記のスクリーンであって、固定支柱に接続してスクリーンを起立させて支持し、スクリーンが設置される設置面に当接する複数の脚部を有する支持脚と、を備えていることを特徴とする。
【００３６】
上記のスクリーンでは、複数の脚部を有する支持脚を備えたことにより、設置面に当接させ、スクリーンを起立させて支持することが安定して行なえる。
【発明を実施するための最良の形態】
【００３７】
以下、実施形態を図面に基づいて説明する。
（第１実施形態）
【００３８】
図１、図２は、第１実施形態に係るスクリーンの概略構成を示す斜視図である。なお、図１は、スクリーン１を画像光が入射する前面側から見た斜視図であり、図２は、スクリーン１を背面側から見た斜視図である。図３は、スクリーンの要部を背面側から見た場合の部分拡大図である。なお、図３は、第２パンタグラフ機構１７と固定支柱１５と第２支持部１４などを図示している。図１〜図３を参照して、スクリーン１の構成を説明する。なお、以降に記載する「左」、「右」は、スクリーン１の背面側から見た場合の左右を意味するものとする。
【００３９】
スクリーン１は、例えば、図示省略するプロジェクタなどから拡大投射された画像光が投影される。このスクリーン１は、図１、図２に示すように、画像投影部１０と支持脚２０とで大略構成されている。
【００４０】
画像投影部１０は、図１または図２に示すように、画像光が投影される部分であるスクリーン本体１２と、固定支柱１５と、第１支持部１３および第２支持部１４と、第１パンタグラフ機構１６および第２パンタグラフ機構１７と、アーム固定部１８と、アームスライド部１９とを備えている。また、スクリーン本体１２は、可撓性を有するシート状に形成され、前面側に入射した画像光を反射して表示する反射型スクリーンで構成されている。
【００４１】
第１支持部１３は、矩形形状を有するスクリーン本体１２の左右の両端部のうち左側端部に沿って延出し、スクリーン本体１２の左側端部を支持する部分である。この第１支持部１３は、図１または図２に示すように、第１支持筐体１３１と、スクリーン本体１２を巻き取る巻取部としてのスプリングロール１３２と、第１把持部１３３と、第１固定部１３４と、第１スライド固定部１３５などを備えている。
【００４２】
第１支持筐体１３１は、図１または図２に示すように、上下方向に伸びる略直方体状の筐体であり、内部にスプリングロール１３２を回動可能に収納する。この第１支持筐体１３１において、右側端面には、図２に示すように、開口１３１１が形成され、スクリーン本体１２を内部および外部に挿通させている。
【００４３】
スプリングロール１３２は、図１に示すように、スクリーン本体１２の上下方向を回動軸として回動可能とし、スクリーン本体１２を巻き取る部材である。このスプリングロール１３２は、具体的な図示は省略するが、スプリングによりスクリーン本体１２の巻き取り方向に付勢され、スクリーン本体１２の引き出し力を弛めると自動的にスクリーン本体１２を巻き取る機能を有している。
【００４４】
第１把持部１３３は、図１または図２に示すように、第１支持筐体１３１の左の側面側、および背面側の端面コーナにおける上下方向略中央部分に取り付けられ、第１支持部１３を左右方向に移動させるために使用者により把持される部分である。
【００４５】
また、第１固定部１３４は、図２に示すように、第１支持筐体１３１の背面側に構成され、後述する第１パンタグラフ機構１６のアーム部材１６４を回動可能に軸支するものである。詳細には、第１固定部１３４は、第１支持筐体１３１の背面側に略矩形形状の固定部本体１３４１が固定され、アーム部材１６４を回動軸１３４２を介して回動可能に軸支している。
【００４６】
第１スライド固定部１３５は、図２に示すように、同じく第１支持筐体１３１の背面側で、第１固定部１３４の上方に構成され、後述する第１パンタグラフ機構１６のアーム部材１６２をスライド自在で、また回動可能に軸支するものである。詳細には、第１スライド固定部１３５は、スライド孔１３５３と、固定部本体１３５１と、回動軸１３５２とで構成されている。スライド孔１３５３は、第１支持筐体１３１の背面側で、第１支持筐体１３１の上下方向に沿ってスリット状に形成されている。また、固定部本体１３５１は、スライド孔１３５３の外周に沿ってスライド自在となる水平断面略Ｈ字形状に形成されている。そして、固定部本体１３５１は、後述するアーム部材１６２を回動軸１３５２を介して回動可能に軸支している。
【００４７】
第２支持部１４は、スクリーン本体１２の右側端部に沿って延出し、スクリーン本体１２の右側端部を支持する部分である。この第２支持部１４は、図１〜図３に示すように、第２支持筐体１４１と、第２把持部１４３と、後述するアーム部材を付勢する付勢部としてのコイルばね１４２と、第２固定部１４４と、第２スライド固定部１４５などを備えている。
【００４８】
第２支持筐体１４１は、図１〜図３に示すように、第１支持筐体１３１と略同様の形状を有し、左側端面に形成された開口１４１１（図１参照）を介して、内部でスクリーン本体１２の右側端部を支持する。
【００４９】
第２把持部１４３は、図２または図３に示すように、第１把持部１３３と略同様の形状を有し、第２支持筐体１４１の右の側面側、および背面側の端面コーナにおける上下方向略中央部分に取り付けられ、第２支持部１４を左右方向に移動させるために使用者により把持される部分である。
【００５０】
また、第２固定部１４４は、図２または図３に示すように、第２支持筐体１４１の背面側に構成され、後述する第２パンタグラフ機構１７のアーム部材１７４を回動可能に軸支するものである。詳細には、第２固定部１４４は、第２支持筐体１４１の背面側に水平断面略Ｃ字形状の固定部本体１４４１が固定され、アーム部材１７４を回動軸１４４２を介して回動可能に軸支している。
【００５１】
第２スライド固定部１４５は、図２または図３に示すように、第２支持筐体１４１の背面側で、第２固定部１４４の上方に構成され、後述する第２パンタグラフ機構１７のアーム部材１７２をスライド自在で、また回動可能に軸支するものである。詳細には、第２スライド固定部１４５は、スライド孔１４５３と、固定部本体１４５１と、回動軸１４５２とで構成されている。スライド孔１４５３は、第２支持筐体１４１の背面側で、第２支持筐体１４１の上下方向に沿ってスリット状に形成されている。また、固定部本体１４５１は、スライド孔１４５３の外周に沿ってスライド自在となる水平断面略Ｈ字形状に形成されている。そして、固定部本体１４５１は、後述するアーム部材１７２を回動軸１４５２を介して回動可能に軸支している。
【００５２】
ここで、図４は、付勢部の構成を示す平面図である。なお、図４は、図２に示す第２支持部１４において、スクリーン本体１２に平行に切断し、前面側から見た場合の平面図を示している。言い換えれば、第２支持部１４の内面から付勢部を見た状態の図を示している。図４を参照して、付勢部に関して説明する。
【００５３】
付勢部は、第１支持部１３および第２支持部１４を離間させる方向に付勢する部材である。本実施形態では、第２支持部１４の内部に設置されている。また、本実施形態では、付勢部としてコイルばね１４２を用いている。コイルばね１４２は、図４に示すように、引っ張りコイルばねとして形成され、ばね本体１４２１とばね本体１４２１の両端に形成するフック１４２２とで構成されている。
【００５４】
そして、第２スライド固定部１４５の固定部本体１４５１には、図４に示すように、第２支持筐体１４１の内面側に突出する突起部１４５１ａが形成されている。この突起部１４５１ａにコイルばね１４２の一方のフック１４２２を引っ掛けて固定している。また、第２固定部１４４の固定部本体１４４１にも、図４に示すように、第２支持筐体１４１の内面側に突出する突起部１４４１ａが形成されている。この突起部１４４１ａにコイルばね１４２の他方のフック１４２２を引っ掛けて固定している。このように構成および固定されるコイルばね１４２は、図２または図３に示すように、第２支持部１４のスライド孔１４５３を介して、ばね本体１４２１の一部が見えることになる。
【００５５】
固定支柱１５は、図２に示すように、第１支持部１３および第２支持部１４の中央に配置され、スクリーン本体１２の平面に平行で上下方向に延出している。また、固定支柱１５は、第１固定支柱１５１と第２固定支柱１５２との二体で構成されている。そして、固定支柱１５は、水平断面が略トラック形状の中空柱状の部材で形成されている。
【００５６】
また、固定支柱１５は、図２、図３に示すように、第２固定支柱１５２の上端部から第１固定支柱１５１が挿通され、延出方向（上下方向）に第１固定支柱１５１が進退自在となっている。そして、第２固定支柱１５２の上端部に設置した支柱固定部１５３により、第１固定支柱１５１の延出長さを調整した後、第１固定支柱１５１を第２固定支柱１５２に固定することができる。すなわち、第１固定支柱１５１の第２固定支柱１５２に対する延出長さを調整することにより、スクリーン本体１２の設置面（例えば、床面）からの高さを調整することができ、支柱固定部１５３で固定することができる。
【００５７】
なお、支柱固定部１５３は、図２、図３に示すように、円筒状で第２固定支柱１５２の上端部を挿通して第２固定支柱１５２に設置される支柱固定部本体１５３１と、回動軸１５３２により支柱固定部本体１５３１に回動可能に軸支されて固定されるレバー部１５３３とで構成されている。そして、図２、図３において、レバー部１５３３を上方向に回転させた場合、支柱固定部本体１５３１の内面側に形成する当接部１５３４（図７参照）が第１固定支柱１５１の側面部への当接を解除する。これにより、第１固定支柱１５１は第２固定支柱１５２に対して進退自在となる。また、図２または図３に示すように、レバー部１５３３を下方向に回転させた場合、当接部１５３４が第１固定支柱１５１の側面部への当接を行なう。これにより、第１固定支柱１５１は当接部１５３４との摩擦力により第２固定支柱１５２に対して固定される。
【００５８】
第１パンタグラフ機構１６および第２パンタグラフ機構１７は、図２、図３に示すように、固定支柱１５と第１支持部１３との間、および固定支柱１５と第２支持部１４との間に伸縮可能に設置され、固定支柱１５を中心として伸縮し、第１支持部１３と第２支持部１４とを近接および展開させる部材である。第１パンタグラフ機構１６および第２パンタグラフ機構１７は、交差して連結される複数の後述するアーム部材を有して屈伸可能に構成されている。また、本実施形態の第１パンタグラフ機構１６および第２パンタグラフ機構１７は、固定支柱１５を挟んだ形態で、スクリーン本体１２と平行で、スクリーン本体１２との離間距離を狭めて設置されている。
【００５９】
アーム固定部１８は、図２、図３に示すように、固定支柱１５（第１固定支柱１５１）の所定の位置に、第１パンタグラフ機構１６の交差する後述する一方のアーム部材１６３と、第２パンタグラフ機構１７の交差する後述する一方のアーム部材１７３とを回動可能に軸支して固定する部材である。また、アームスライド部１９は、図２または図３に示すように、固定支柱１５（第１固定支柱１５１）に沿ってスライド自在に支持され、第１パンタグラフ機構１６の交差する後述する他方のアーム部材１６１と、第２パンタグラフ機構１７の交差する後述する他方のアーム部材１７１とを回動可能に軸支する部材である。
【００６０】
ここで、図２、図３を参照して、第１パンタグラフ機構１６および第２パンタグラフ機構１７、アーム固定部１８、およびアームスライド部１９の詳細な構成および動作に関して説明する。
【００６１】
第１パンタグラフ機構１６は、固定支柱１５と第１支持部１３との間に設置されている。そして、屈伸可能で、交差して連結される複数のアーム部材として、本実施形態では、中空柱状の部材で形成される４つのアーム部材１６１，１６２，１６３，１６４を有して構成されている。詳細には、アーム部材１６１，１６２は、端部においてスクリーン本体１２に略直交する回動軸１６１２に回動可能に軸支されて連結され、また、アーム部材１６３，１６４は、端部においてスクリーン本体１２に略直交する回動軸１６３４に回動可能に軸支されて連結される。
【００６２】
連結されたアーム部材１６１，１６２とアーム部材１６３，１６４とは、更に、アーム部材１６１とアーム部材１６３との略中央部で回動軸１６１３に回動可能に軸支されて連結される。また、アーム部材１６２とアーム部材１６４との略中央部で回動軸１６２４に回動可能に軸支されて連結される。このような連結により、アーム部材１６１，１６２，１６３，１６４はパンタグラフの形態となり、第１パンタグラフ機構１６が構成される。
【００６３】
また、第１パンタグラフ機構１６の交差する一方のアーム部材となるアーム部材１６３が、その端部において回動軸１８２１によりアーム固定部１８と回動可能に軸支される。また、第１パンタグラフ機構１６の交差する他方のアーム部材となるアーム部材１６１が、その端部において回動軸１９１３によりアームスライド部１９と回動可能に軸支される。
【００６４】
また、第１パンタグラフ機構１６の交差する一方のアーム部材となるアーム部材１６４が、その端部において第１支持部１３の第１固定部１３４に固定され、また、回動軸１３４２により回動可能に軸支される。そして、第１パンタグラフ機構１６の交差する他方のアーム部材となるアーム部材１６２が、その端部において回動軸１３５２により第１支持部１３の第１スライド固定部１３５に回動可能に軸支され、また、スライド孔１３５３に沿ってスライド自在となる。
【００６５】
第２パンタグラフ機構１７は、第１パンタグラフ機構１６と同様に構成され、固定支柱１５を中心に第１パンタグラフ機構１６と対称に設置される。
【００６６】
詳細には、第２パンタグラフ機構１７は、固定支柱１５と第２支持部１４との間に設置されている。そして、屈伸可能で、交差して連結される複数のアーム部材として、本実施形態では、中空柱状の部材で形成される４つのアーム部材１７１，１７２，１７３，１７４を有して構成されている。詳細には、アーム部材１７１，１７２は、端部においてスクリーン本体１２に略直交する回動軸１７１２に回動可能に軸支されて連結され、また、アーム部材１７３，１７４は、端部においてスクリーン本体１２に略直交する回動軸１７３４に回動可能に軸支されて連結される。
【００６７】
連結されたアーム部材１７１，１７２とアーム部材１７３，１７４とは、更に、アーム部材１７１とアーム部材１７３との略中央部で回動軸１７１３に回動可能に軸支されて連結される。また、アーム部材１７２とアーム部材１７４との略中央部で回動軸１７２４に回動可能に軸支されて連結される。このような連結により、アーム部材１７１，１７２，１７３，１７４はパンタグラフの形態となり、第２パンタグラフ機構１７が構成される。
【００６８】
また、第２パンタグラフ機構１７の交差する一方のアーム部材となるアーム部材１７３が、その端部において回動軸１８２１によりアーム固定部１８と回動可能に軸支される。また、第２パンタグラフ機構１７の交差する他方のアーム部材となるアーム部材１７１が、その端部において回動軸１９１３によりアームスライド部１９と回動可能に軸支される。
【００６９】
また、第２パンタグラフ機構１７の交差する一方のアーム部材となるアーム部材１７４が、その端部において第２支持部１４の第２固定部１４４に固定され、また、回動軸１４４２により回動可能に軸支される。そして、第２パンタグラフ機構１７の交差する他方のアーム部材となるアーム部材１７２が、その端部において回動軸１４５２により第２支持部１４の第２スライド固定部１４５に回動可能に軸支され、また、スライド孔１４５３に沿ってスライド自在となる。
【００７０】
アーム固定部１８は、アームスライド部１９の下方向で、固定支柱１５（第１固定支柱１５１）に固定されている。アーム固定部１８は、円筒状で第１固定支柱１５１を挿通してネジなどで第１固定支柱１５１に固定されるアーム固定部本体１８１と、アーム固定部本体１８１の略中心軸を通りスクリーン本体１２の面と水平な方向に矩形形状で突出して形成される一対のアーム固定軸支部１８２とを有して構成されている。そして、アーム固定部１８は、一対のアーム固定軸支部１８２で、アーム部材１６３，１７３の一方の端部をスクリーン本体１２に略直交して設置される回動軸１８２１で、それぞれ回動可能に軸支する。
【００７１】
なお、固定支柱１５（第１固定支柱１５１）には、アーム固定部１８（アーム固定部本体１８１）を上下方向に跨ぐ形態で略アーチ状に形成される把持部１５５が、アーム固定部本体１８１にねじなどにより固定されている。この把持部１５５は、スクリーン本体１２を展開や折り畳む場合などに使用者が把持することで、固定支柱１５を安定させるための部材である。
【００７２】
アームスライド部１９は、アーム固定部１８の上方向に設置されている。そして、アームスライド部１９は、支柱スライド部１９１と支柱スライド固定部１９２との２体に別れて構成されている。
【００７３】
支柱スライド固定部１９２は、スクリーン本体１２に投影される画像光のアスペクト比に対応させてスクリーン本体１２の展開大きさを決める部材である。また、支柱スライド部１９１は、支柱スライド固定部１９２の上方向に位置し、第１固定支柱１５１の所定の位置に支柱スライド固定部１９２を位置決めして固定した後、支柱スライド固定部１９２の上端面１９２１ｄ（図３参照）に当接するまでスライドさせる部材である。なお、第１パンタグラフ機構１６と第２パンタグラフ機構１７により、支柱スライド部１９１が支柱スライド固定部１９２に当接するまでスクリーン本体１２を展開した場合に、展開されたスクリーン本体１２の大きさが、支柱スライド固定部１９２で決めたアスペクト比に対応することになる。
【００７４】
ここで、図５は、支柱スライド固定部の断面図であり、図５（ａ）は、支柱スライド固定部の垂直方向断面図であり、図５（ｂ）は、支柱スライド固定部の水平方向断面図であり、図５（ｃ）は、支柱スライド固定部をスライドする状態を示す垂直方向断面図である。図３、図５を参照して、支柱スライド固定部１９２の構成および動作を説明する。
【００７５】
支柱スライド固定部１９２は、円筒状で第１固定支柱１５１を挿通して構成されている。そして、支柱スライド固定部１９２は、スライド固定本体１９２１をベースとして、固定操作部１９２２と、スライド把持部１９２３と、スライド規制部１９２４とを有して構成されている。
【００７６】
スライド把持部１９２３は、スライド固定本体１９２１の側面下部に略アーチ状に形成されている。スライド把持部１９２３は、使用者が把持して支柱スライド固定部１９２を第１固定支柱１５１に沿ってスライドさせる部材である。
【００７７】
固定操作部１９２２は、スライド把持部１９２３の上部に設置されており、図５に示すように、固定操作部本体１９２２ａと、固定突起部１９２２ｂと、固定用ばね１９２２ｃとを有して構成されている。そして、固定操作部１９２２は、スライド固定本体１９２１に形成される第１案内部１９２１ａに案内されて設置される。固定操作部本体１９２２ａは、第１案内部１９２１ａに案内され、固定用ばね１９２２ｃを固定操作部本体１９２２ａと第１案内部１９２１ａとの間に収容している。また、固定操作部本体１９２２ａは、スライド把持部１９２３の上方で、スライド固定本体１９２１から突出して固定支柱１５の延出方向に略垂直に押し込みが可能に設置される。
【００７８】
また、固定突起部１９２２ｂは、固定操作部本体１９２２ａに形成され、固定操作部本体１９２２ａのスクリーン本体１２側で、固定支柱１５に向かって内側に突出する部材である。この固定突起部１９２２ｂが、固定支柱１５のスクリーン本体１２側の側面に形成された第１固定孔１５１１、第２固定孔１５１２、および第３固定孔１５１３のいずれかの孔に嵌合することで、支柱スライド固定部１９２は、固定支柱１５に固定される。
【００７９】
図５（ａ）、（ｂ）に示す図は、支柱スライド固定部１９２の固定突起部１９２２ｂが、固定支柱１５に形成される第１固定孔１５１１に嵌合して固定された状態を示している。なお、第１固定孔１５１１は、アスペクト比「４：３」の画像光に対応させて、スクリーン本体１２の展開大きさを決める孔である。また、第２固定孔１５１２は、アスペクト比「１６：１０」の画像光に対応させた孔であり、第３固定孔１５１３は、アスペクト比「１６：９」の画像光に対応させた孔である。この場合、第１固定孔１５１１が、３つの孔の中で最上部に位置し、次に、第２固定孔１５１２が位置し、最下部に第３固定孔１５１３が位置することになる。
【００８０】
スライド規制部１９２４は、固定操作部１９２２の上部に設置されており、図５（ａ）、図５（ｃ）に示すように、規制部本体１９２４ａと、規制突起部１９２４ｂと、規制用ばね１９２４ｃとを有して構成されている。そして、スライド規制部１９２４は、スライド固定本体１９２１に形成される第２案内部１９２１ｂに案内されて設置される。
【００８１】
また、第２案内部１９２１ｂには、第１固定支柱１５１に形成された規制用孔１５１４に相対して案内孔１９２１ｃが形成されている。また、規制突起部１９２４ｂは、下方向にテーパ部Ｔを有した角柱形状に形成されている。そして、第２案内部１９２１ｂにおいて、規制突起部１９２４ｂのテーパ部Ｔが案内孔１９２１ｃに挿通する形態で設置され、規制突起部１９２４ｂと規制部本体１９２４ａとの間に規制用ばね１９２４ｃを収容している。なお、規制部本体１９２４ａは、スライド固定本体１９２１に固定されている。
【００８２】
なお、図５（ａ）、図５（ｂ）に示すように、固定操作部１９２２（固定突起部１９２２ｂ）が、最上部に位置する第１固定孔１５１１と嵌合した場合には、スライド規制部１９２４の規制突起部１９２４ｂのテーパ部Ｔも、案内孔１９２１ｃを貫通して規制用孔１５１４に挿通する。このスライド規制部１９２４により、固定操作部１９２２を操作して支柱スライド固定部１９２を上方向にスライドさせることを規制している（上方向へのスライドを不可能とさせている）。但し、後述するが、下方向へのスライドは可能である。
【００８３】
アームスライド部１９を構成する支柱スライド部１９１は、図２、図３に示すように、支柱スライド固定部１９２の上方向で、固定支柱１５（第１固定支柱１５１）を挿通し、第１固定支柱１５１に沿ってスライド自在に支持されている。そして、支柱スライド部１９１は、円筒状で第１固定支柱１５１を挿通するスライド本体１９１１と、支柱スライド部１９１の略中心軸を挟んでスクリーン本体１２の面と略水平な方向にそれぞれ矩形形状で２つずつ突出して形成される一対のスライド軸支部１９１２とを有して構成されている。
【００８４】
そして、支柱スライド部１９１は、２つずつ形成されるスライド軸支部１９１２において、一方の２つのスライド軸支部１９１２の間に、第１パンタグラフ機構１６の交差するアーム部材１６１の他方の端部を挟んだ状態で、スクリーン本体１２に略直交する回動軸１９１３を介してアーム部材１６１を回動可能に軸支する。また、他方の２つのスライド軸支部１９１２の間に、第２パンタグラフ機構１７の交差するアーム部材１７１の他方の端部を挟んだ状態で、同様に、スクリーン本体１２に略直交する回動軸１９１３を介してアーム部材１７１を回動可能に軸支する。
【００８５】
ここで、支柱スライド固定部１９２をスライドする場合の操作および支柱スライド部１９１の動作に関して説明する。
支柱スライド固定部１９２をスライドする場合には、例えば、図５（ａ）に示す状態において、スライド把持部１９２３を把持しながら、その上方に設置され、突出する固定操作部１９２２を固定支柱１５側に押し込む動作を行なう。この動作に従動して、圧縮コイルばねとして形成される一対の固定用ばね１９２２ｃが圧縮されると共に、第１固定孔１５１１に嵌合していた固定突起部１９２２ｂが、スクリーン本体１２側に移動することにより、第１固定孔１５１１から外れる。このような状態とさせた後、支柱スライド固定部１９２を固定支柱１５に対してスライド（この場合は、下方向にスライド）する。
【００８６】
なお、図５（ａ）において、固定突起部１９２２ｂが、第１固定孔１５１１から外れた状態となり、スライドを開始する場合、上述した、スライド規制部１９２４の規制突起部１９２４ｂを規制用孔１５１４から外さなければならない。そのために、使用者は、スライド把持部１９２３を把持した状態で、下方向に若干の力を加えてスライドさせる。この操作により、スライド規制部１９２４では、規制突起部１９２４ｂのテーパ部Ｔが、規制用孔１５１４の外周部を滑りながら、圧縮コイルばねとして形成されている規制用ばね１９２４ｃを圧縮して規制部本体１９２４ａ側に移動する。これにより、規制突起部１９２４ｂは、規制用孔１５１４への挿通が外される。この状態となった後は、スライド把持部１９２３を把持した状態で、固定支柱１５に沿って下方向にスライドさせることが自在となる。
【００８７】
なお、図５（ｃ）に示すように、支柱スライド固定部１９２を固定支柱１５に沿ってスライドする状態においては、固定操作部１９２２の固定突起部１９２２ｂは、固定用ばね１９２２ｃを圧縮させた状態で、第１固定支柱１５１の側面をスライドする。この状態では、固定突起部１９２２ｂは、常に第１固定支柱１５１の側面を押圧しながらスライドする。また、スライド規制部１９２４の規制突起部１９２４ｂも、規制用ばね１９２４ｃを圧縮させた状態で、第１固定支柱１５１の側面をスライドする。
【００８８】
そして、支柱スライド固定部１９２をスライドさせ、第１固定支柱１５１に形成された第２固定孔１５１２に固定操作部１９２２の固定突起部１９２２ｂが位置した場合、固定突起部１９２２ｂは、圧縮されていた固定用ばね１９２２ｃの力により、第２固定孔１５１２に嵌合する。この動作により、支柱スライド固定部１９２は、第１固定支柱１５１に固定される。
【００８９】
なお、支柱スライド固定部１９２を固定支柱１５に沿ってスライドさせた場合、支柱スライド固定部１９２の上部に位置する支柱スライド部１９１は、付勢部としてのコイルばね１４２の動作、および支柱スライド部１９１の自重などにより、支柱スライド固定部１９２のスライド動作に追従するように、第１固定支柱１５１に沿ってスライドする。従って、支柱スライド固定部１９２のスライドに追従して支柱スライド部１９１はスライドし、第２固定孔１５１２の位置で支柱スライド固定部１９２が固定された場合には、支柱スライド部１９１は、固定された支柱スライド固定部１９２の上端面１９２１ｄに当接して下方向へのスライドを停止する。
【００９０】
なお、支柱スライド部１９１が下方向にスライドすることにより、支柱スライド部１９１のスライド軸支部１９１２に回動可能に軸支されるアーム部材１６１，１７１が、回動軸１９１３を中心にして回動しながら下方向にスライドする。この動作により、第１パンタグラフ機構１６および第２パンタグラフ機構１７は、左右方向に伸びるように移動する。
【００９１】
なお、この場合の第１パンタグラフ機構１６と第２パンタグラフ機構１７の詳細な動作を説明する。
コイルばね１４２の動作や、支柱スライド部１９１の自重などにより、支柱スライド部１９１が下方向にスライドすることにより、支柱スライド部１９１のスライド軸支部１９１２に回動可能に軸支されるアーム部材１６１，１７１が、回動軸１９１３を中心にして回動しながら下方向にスライドする。同時に、アーム固定部１８のアーム固定軸支部１８２に回動可能に軸支されるアーム部材１６３，１７３が、回動軸１８２１を中心にして回動する。また、同時に、第２パンタグラフ機構１７のアーム部材１７２と回動可能に連結する第２支持部１４の第２スライド固定部１４５の固定部本体１４５１も下方向にスライドする。そして、この動作と連動し、第１パンタグラフ機構１６のアーム部材１６２と回動可能に連結する第１支持部１３の第１スライド固定部１３５の固定部本体１３５１も下方向にスライドする。なお、第２パンタグラフ機構１７を構成するアーム部材１７１〜１７４は、それぞれ回動可能に軸支される回動軸１７１２，１７１３，１７２４，１７３４，１４４２を中心に回動する。同様に、第１パンタグラフ機構１６を構成するアーム部材１６１〜１６４は、それぞれ回動可能に軸支される回動軸１６１２，１６１３，１６２４，１６３４，１３４２を中心に回動する。
【００９２】
第１パンタグラフ機構１６および第２パンタグラフ機構１７の左右方向に伸びる移動により、第１パンタグラフ機構１６および第２パンタグラフ機構１７が接続する第１支持部１３および第２支持部１４は、左右方向に離間する移動を行なう。そして、第１支持部１３および第２支持部１４が左右方向に離間する移動により、第１支持部１３および第２支持部１４に張設されるスクリーン本体１２は、左右方向に展開される。なお、支柱スライド部１９１は、第２固定孔１５１２の位置で固定された支柱スライド固定部１９２の上端面１９２１ｄに当接して、スクリーン本体１２の展開を停止する。
【００９３】
なお、上述した動作と同様にして、支柱スライド固定部１９２は、固定支柱１５に沿って下方向へスライドさせ、第３固定孔１５１３に固定突起部１９２２ｂが嵌合することにより固定することができる。そして、この支柱スライド固定部１９２の下方向へのスライドに従動して、支柱スライド部１９１は、更に、第１パンタグラフ機構１６および第２パンタグラフ機構１７が左右方向に伸びるように移動し、スクリーン本体１２を更に展開する。そして、支柱スライド部１９１は、第３固定孔１５１３の位置で固定された支柱スライド固定部１９２の上端面１９２１ｄに当接して、スクリーン本体１２の展開を停止する。
【００９４】
また、支柱スライド固定部１９２は、逆に、固定支柱１５に沿って上方向にスライドさせ、第２固定孔１５１２、第１固定孔１５１１に固定することができる。この場合、支柱スライド部１９１は、支柱スライド固定部１９２の上端面１９２１ｄに当接した状態で、支柱スライド固定部１９２の上方向へのスライドに押圧されながらスライドすることになる。
【００９５】
そして、この支柱スライド固定部１９２の上方向へのスライドに従動して、支柱スライド部１９１が上方向にスライドすることにより、支柱スライド部１９１のスライド軸支部１９１２に回動可能に軸支されるアーム部材１６１，１７１が、回動軸１９１３を中心にして回動しながら上方向にスライドする。この動作により、第１パンタグラフ機構１６および第２パンタグラフ機構１７は、中心方向（固定支柱１５方向）に縮むように移動する。
【００９６】
また、第１パンタグラフ機構１６および第２パンタグラフ機構１７の固定支柱１５方向に縮む移動により、第１パンタグラフ機構１６および第２パンタグラフ機構１７が接続する第１支持部１３および第２支持部１４は、近接する方向に移動する。そして、第１支持部１３および第２支持部１４の近接する方向への移動により、第１支持部１３および第２支持部１４に張設されるスクリーン本体１２は、展開を縮小する方向に移動する。なお、支柱スライド部１９１は、第２固定孔１５１２および第１固定孔１５１１の位置で支柱スライド固定部１９２が固定された場合、スクリーン本体１２の展開の縮小を停止する。
【００９７】
なお、支柱スライド部１９１の上方向のスライドは、実際には、使用者が把持部１５５およびスライド把持部１９２３を把持し、スライド把持部１９２３（支柱スライド固定部１９２）を上方向へスライドさせることにより、支柱スライド固定部１９２に押圧されて支柱スライド部１９１は上方向にスライドする。なお、支柱スライド固定部１９２は、第１固定孔１５１１に固定した場合、これより上方向へのスライドは、スライド規制部１９２４の規制突起部１９２４ｂが規制用孔１５１４に挿通した状態となり規制され、この状態を維持する。
【００９８】
図６は、支柱スライド固定部が固定支柱の所定の位置にアームスライド部を固定した状態を示す図であり、図６（ａ）は、投影領域のアスペクト比が略「４：３」となる位置で固定した図であり、図６（ｂ）は、投影領域のアスペクト比が略「１６：１０」となる位置で固定した図であり、図６（ｃ）は、投影領域のアスペクト比が略「１６：９」となる位置で固定した図である。図６を参照して、アームスライド部１９の固定によるスクリーン本体１２に確保される投影領域に関して説明する。
【００９９】
図６（ａ）に示すように、支柱スライド固定部１９２（アームスライド部１９）が、所定の位置として、第１固定孔１５１１（図５（ａ）参照）の位置に固定された場合、画像光が入射するスクリーン本体１２の前面側に形成される画像光の投影領域Ａは、二点鎖線で示すように、アスペクト比が略「４：３」となる領域を確保する。
【０１００】
次に、この状態から、使用者が把持部１５５およびスライド把持部１９２３を把持しながら固定操作部１９２２を操作し、スライド把持部１９２３（支柱スライド固定部１９２）を下方向へスライドさせる。そして、支柱スライド固定部１９２が、所定の位置として、第２固定孔１５１２（図５（ａ）参照）の位置に固定された場合、図６（ｂ）に示すように、画像光の投影領域Ｂは、二点鎖線で示すように、アスペクト比が略「１６：１０」となる領域を確保する。
【０１０１】
次に、同様にして、支柱スライド固定部１９２が、所定の位置として、第３固定孔１５１３（図５（ａ）参照）の位置に固定された場合、図６（ｃ）に示すように、画像光の投影領域Ｃは、二点鎖線で示すように、アスペクト比が略「１６：９」となる領域を確保する。このように、本実施形態では、画像光の３種類のアスペクト比に対応させて、スクリーン本体１２に形成される投影領域Ａ，Ｂ，Ｃのアスペクト比を対応させている。
【０１０２】
図７は、支持脚の概略構成を示す斜視図である。なお、図７は、支持脚２０をスクリーン１の前面側から見た斜視図である。また、図７は、支持脚２０の脚部２１を固定支柱１５に対して最大に離間（展開）した状態を示している。図７を参照して、支持脚２０の構成を説明する。
【０１０３】
支持脚２０は、画像投影部１０を支持する部分であり、本実施形態では、固定支柱１５（第２固定支柱１５２）と、３つの脚部２１と、脚固定部２２と、脚スライド部２３とを備えて構成されている。
【０１０４】
第２固定支柱１５２は、上下方向に延出し、水平断面が略トラック形状の中空柱状の部材で形成されている。なお、第２固定支柱１５２は、第１固定支柱１５１とで、固定支柱１５を構成している。そして、第２固定支柱１５２の上端部から第１固定支柱１５１を挿通して第１固定支柱１５１の延出長さを調整した後、支柱固定部１５３により、第１固定支柱１５１を第２固定支柱１５２に固定することで、画像投影部１０を支持固定することができる。
【０１０５】
脚部２１は、３つの方向に延出し、それぞれの脚部２１は、後述するが、各部材の多段のリンク機構により構成されている。そして、図７に示すように、それぞれの脚部２１は、固定支柱１５（第２固定支柱１５２）に対して最大に離間させた（展開させた）状態（この状態を開状態と呼称する）とすることができる。この状態で、脚部２１は、第２固定支柱１５２を起立させると共に、画像投影部１０を起立させて支持する。開状態は、スクリーン１の使用状態における脚部２１の状態である。
【０１０６】
また、それぞれの脚部２１は、固定支柱１５（第２固定支柱１５２）に対して最大に近接させた（折り畳んだ）状態（この状態を閉状態（図８参照）と呼称する）とすることができる。閉状態は、脚部２１の収納時の状態であり、スクリーン１の非使用時（運搬時や保管時）に好適となる脚部２１の状態である。
【０１０７】
なお、３つの脚部２１において、本実施形態では、スクリーン１の前面側で、スクリーン本体１２に対して略垂直方向に１つの脚部２１を展開している。この脚部２１を脚部２１Ａとする。そして、本実施形態では、他の２つの脚部２１は、固定支柱１５を中心として、脚部２１Ａに対して略１２０°回転した方向に展開させることで、スクリーン１の背面側に展開している。この２つの脚部２１を、それぞれ脚部２１Ｂ，２１Ｃとする。
【０１０８】
脚固定部２２は、３つの脚部２１を回動可能に軸支して第２固定支柱１５２に固定する部材である。また、脚スライド部２３は、第２固定支柱１５２に沿ってスライド自在に支持され、３つの脚部２１を回動可能に軸支する部材である。なお、脚スライド部２３は、脚固定部２２に対して離間および近接するように第２固定支柱１５２に沿ってスライドすることにより、多段のリンク機構により構成される３つの脚部２１が従動し、脚部２１を近接（折り畳み）および離間（展開）させる。
【０１０９】
３つの脚部２１は、それぞれ、第１脚部２１１と、第２脚部２１２と、第３脚部２１３と、脚規制部材２１４とから構成されている。なお、３つの脚部２１は、同様の部材を有して同様に構成されているため、以下では、１つの脚部２１（脚部２１Ａ）を中心に説明する。
【０１１０】
第１脚部２１１は、中空柱状で、角柱棒状部材で形成され、一方の端部には、摩擦抵抗が高く、設置面を傷付けない合成樹脂部材で形成されて設置面５００（図９参照）に当接する当接部２１１１を有している。
【０１１１】
第２脚部２１２は、中空柱状で、角柱棒状部材で形成される同一形状の２つの第２脚部材２１２Ａ，２１２Ｂで構成されている。そして、２つの第２脚部材２１２Ａ，２１２Ｂは、図７に示すように、相互に平行に設置され、それぞれの一方の端部が第１脚部２１１の他方の端部側の側面部を挟んだ状態で、共通の回動軸２１１２により、第１脚部２１１を回動可能に軸支して連結する。また、２つの第２脚部材２１２Ａ，２１２Ｂは、図７に示すように、それぞれの他方の端部が、後述する脚固定部２２に回動可能に軸支されて連結する。
【０１１２】
第３脚部２１３は、中空柱状で、角柱棒状部材で形成され、図７に示すように、一方の端部が第２脚部２１２（第２脚部材２１２Ａ，２１２Ｂ）の略中間部位で挟まれた状態で、共通の回動軸２１２３により、第２脚部２１２を回動可能に軸支して連結する。また、第３脚部２１３は、図７に示すように、他方の端部が、後述する脚スライド部２３に回動可能に軸支されて連結する。
【０１１３】
脚規制部材２１４は、丸棒の金属部材で形成され、図７に示すように、両端部が互いに同方向で略垂直に曲げられた接続部２１４１を有して構成されている。そして、脚規制部材２１４は、図７に示すように、一方の端部となる接続部２１４１が、第１脚部２１１の他方の端部に形成した連結孔に挿通され、挿通した接続部２１４１を回動軸として、第１脚部２１１を回動可能に軸支して連結する。また、脚規制部材２１４は、図７に示すように、他方の端部となる接続部２１４１が、第３脚部２１３の略中間部位に形成した連結孔に挿通され、挿通した接続部２１４１を回動軸として、第３脚部２１３を回動可能に軸支して連結する。
【０１１４】
脚固定部２２は、図７に示すように、２段の円筒形状で延設して形成され、内部に第２固定支柱１５２の下端部を挿通して固定する脚固定部本体２２１を有する。また、脚固定部２２は、脚固定部本体２２１の下端部側の円筒形状側面において、所定の３方向で、法線方向に突出して形成される脚固定軸支部２２２を有している。なお、本実施形態では、所定の３方向は、脚部２１（２１Ａ，２１Ｂ，２１Ｃ）のそれぞれ展開される方向と同方向となる。そして、脚固定部２２の脚固定軸支部２２２は、図７に示すように、第２脚部２１２（第２脚部材２１２Ａ，２１２Ｂ）の他方の端部に挟まれた状態で、共通の回動軸２２２２により、第２脚部２１２を回動可能に軸支して連結する。
【０１１５】
脚スライド部２３は、図７に示すように、円筒形状に延設され、第２固定支柱１５２を挿通し、第２固定支柱１５２に沿ってスライド自在に形成された脚スライド部本体２３１を有する。また、脚スライド部２３は、脚スライド部本体２３１の外形側面において、脚固定部２２に形成する脚固定軸支部２２２の３方向と同方向に突出して形成される脚スライド軸支部２３２を有して構成される。また、脚スライド部２３は、図７に示すように、脚スライド部本体２３１の外形側面において、上方側で、スクリーン本体１２側の逆側となる部位には、第２固定支柱１５２の延設方向と略直交し、水平方向（スクリーン１の左右方向）に延設され、円柱形状に形成される把持部２３３を有している。
【０１１６】
脚スライド軸支部２３２には、先端側の側面を切り欠き、上方側から下方側に向けて窪んだ凹形状を有する案内溝２３２１が形成されている。そして、脚スライド軸支部２３２は、図７に示すように、案内溝２３２１の内部に第３脚部２１３の他方の端部を案内した状態で、共通の回動軸２３２３により、第３脚部２１３を回動可能に軸支して連結する。
【０１１７】
図８は、閉状態の支持脚を示す斜視図である。図９は、閉状態の支持脚を左方向から見た場合の平面図である。図１０は、開状態の支持脚を左方向から見た場合の平面図である。なお、図８は、支持脚２０をスクリーン１の前面側から見た斜視図を示している。また、図９は、図８に示す閉状態の支持脚２０を左方向から見た図である。また、図１０は、図７に示す開状態の支持脚２０を左方向から見た平面図である。また、図９、図１０は、床面などの設置面５００に支持脚２０を設置する場合の設置方法も示している。
【０１１８】
なお、図７〜図１０において、画像投影部１０を省いて図示しているが、本実施形態では、画像投影部１０は、第１固定支柱１５１が第２固定支柱１５２にスライド自在で挿脱不可能に挿通され設置されている。本実施形態では、スクリーン１を構成する画像投影部１０と支持脚２０とは、一体に構成されているため、画像投影部１０と支持脚２０とを別体として分離することはできない。
【０１１９】
図７〜図１０を参照して、支持脚２０の展開および折り畳みの動作に関して説明する。なお、３つの脚部２１は、同様に構成され、同様に動作するため、以下では、１つの脚部２１（脚部２１Ａ）を中心に説明する。
【０１２０】
支持脚２０の脚部２１を展開する場合、図９に示すように、最初に、使用者は、画像投影部１０のスクリーン本体１２が閉じられ、支持脚２０の脚部２１も閉じられた閉状態のスクリーン１を、支持脚２０を下側にして脚固定部２２の下端面２２１１を設置面５００に当接させた状態とする。支持脚２０の脚部２１が閉状態の場合、本実施形態では、図９に示すように、脚固定部２２の端部面としての下端面２２１１は、第１脚部２１１の一方の端部となる当接部２１１１の端部面２１１１ａに対して突出させている。そのため、スクリーン１（支持脚２０）を設置面５００に略垂直に当接させた場合、脚固定部２２の下端面２２１１が、設置面５００に当接し、第１脚部２１１の端部面２１１１ａは、設置面５００から離間した（浮いた）状態となる。
【０１２１】
この状態で、使用者は、画像投影部１０を支えながら、脚スライド部２３の把持部２３３を把持して、下方向（設置面５００の方向）に力を加えて押し下げる。この操作に従動して、脚スライド部２３が下方向にスライドを開始する。この動作に従動して、脚スライド軸支部２３２に軸支される第３脚部２１３が下方向にスライドすると共に、回動軸２３２３を中心に回動する。図９に示す脚部２１Ａにおける第３脚部２１３は、回動軸２３２３を中心に時計回りに回転する。
【０１２２】
第３脚部２１３が下方向にスライドし、回動軸２３２３を中心に回動することに従動して、第３脚部２１３と回動軸２１２３で回動可能に連結する第２脚部２１２が、回動軸２１２３を中心として回動する。併せて、第２脚部２１２は、脚固定軸支部２２２の回動軸２２２２を中心として回動する。図９に示す脚部２１Ａにおける第２脚部２１２は、回動軸２２２２を中心に反時計回りに回転する。
【０１２３】
なお、脚規制部材２１４は、第３脚部２１３と第１脚部２１１の他端部とを接続部２１４１で回動可能に接続しているため、第２脚部２１２が、回動軸２２２２を中心として回動することにより、第２脚部２１２に回動可能に連結される第１脚部２１１が、回動軸２１１２を中心に、脚規制部材２１４に規制されながら回動する。図９に示す脚部２１Ａにおける第１脚部２１１は、回動軸２１１２を中心に、脚規制部材２１４に規制されながら時計回りに回転する。
【０１２４】
上述の動作は、使用者が把持部２３３を下方向に押圧することで、脚スライド部２３を下方向にスライドさせる途中の一連の脚部２１の動作を説明している。なお、脚スライド部２３を下方向にスライドさせた場合、脚スライド部２３に連結する３つの脚部２１（２１Ａ，２１Ｂ，２１Ｃ）は、略同時に上述した動作を行ない、脚部２１が展開する方向に多段のリンク機構が動作する。その結果、図１０に示すように、脚部２１Ａは、スクリーン１の前面側のスクリーン本体１２に対して略垂直方向に展開する。また、その他の脚部２１Ｂ，２１Ｃもそれぞれの方向に展開する。
【０１２５】
なお、図１０は、上述したように、脚部２１が、最大に展開した開状態を示しており、この場合、第１脚部２１１の先端に形成する当接部２１１１の端部面２１１１ａが設置面５００に当接する。この状態（開状態）においては、脚固定部２２の下端面２２１１は、設置面５００から若干離間した状態となる。
【０１２６】
なお、脚部２１を閉状態から展開を開始して、当接部２１１１の端部面２１１１ａの先端部が設置面５００に当接した場合、使用者は、固定支柱１５を持ち上げると共に、脚スライド部２３の把持部２３３を押し下げることにより、脚固定部２２の下端面２２１１が、設置面５００から若干離間した状態（図１０に示す状態）とさせることができる。
【０１２７】
なお、開状態において、脚スライド部２３は、脚固定部２２の脚固定部本体２２１の上端面２２１２（図９参照）に当接する。すなわち、脚スライド部２３を、脚固定部本体２２１の上端面２２１２に当接するまでスライドすることにより、脚部２１は開状態となる。上述した一連の動作により、脚部２１は、図７、図１０に示すように、完全に脚部２１を展開し、多段のリンク機構により突っ張った状態となり、設置面５００に安定して固定することができる。
【０１２８】
なお、図７、図１０に示す脚部２１が開状態から、図８、図９に示す脚部２１が閉状態とさせるには、上述したと逆の動作を行なわせることで行なえる。詳細には、使用者は、脚スライド部２３の把持部２３３を把持して、上方向に力を加えることにより、脚スライド部２３を第２固定支柱１５２に沿って上方向にスライドさせることにより、脚部２１の多段のリンク機構により、上述したと逆の動作が行なわれ、閉状態とさせることができる。
【０１２９】
図１１は、スクリーン本体を閉じた状態でのスクリーンを示す斜視図であり、図１１（ａ）は、脚部が閉状態での斜視図であり、図１１（ｂ）は、脚部が開状態での斜視図である。また、図１１（ａ）は、脚部２１を収納した状態を示しており、スクリーン１を運搬する場合や、保管する場合に好適となる状態を示している。また、図１１（ｂ）は、スクリーン１を使用する場合に、脚部２１を開状態として、次に、スクリーン本体１２を展開させる前の状態を示している。なお、図１１は、図２に示す図と同様に、スクリーン１を背面側から見た状態を示している。
【０１３０】
スクリーン１は、画像投影部１０において、使用者が、第１把持部１３３と第２把持部１４３を把持して固定支柱１５側に押圧することにより、スクリーン本体１２がスプリングロール１３２に巻き取られながら、第１パンタグラフ機構１６および第２パンタグラフ機構１７が縮むように移動する。そして、図１１（ａ）に示すように、第１支持部１３と第２支持部１４との相対する側面が突き合わされる。なお、第１支持部１３と第２支持部１４との相対する側面とは、本実施形態では、第１支持部１３の開口１３１１（図２参照）を形成する周囲の第１支持筐体１３１の外形面と、第２支持部１４の開口１４１１（図１参照）を形成する周囲の第２支持筐体１４１の外形面となる。
【０１３１】
また、第１支持部１３において、第１支持筐体１３１の開口１３１１の上部および下部には、図２または後述する図１２に示すように、固定用凸部１３６が設置されている。また、第２支持部１４において、第２支持筐体１４１の開口１４１１の上部および下部には、図１または後述する図１２に示すように、固定用凹部１４６が設置されている。そして、第１支持部１３と第２支持部１４との相対する側面が突き合わされた場合、第１支持部１３の固定用凸部１３６と、第２支持部１４の固定用凹部１４６とがそれぞれ係合することにより、第１支持部１３と第２支持部１４とが固定される。なお、第１支持部１３と第２支持部１４とを前述のように固定するには、磁気部材などを用いて固定することなどでもよい。
【０１３２】
上述のように、第１支持部１３と第２支持部１４との相対する側面が突き合わされて固定された状態では、固定支柱１５を挟む第１パンタグラフ機構１６および第２パンタグラフ機構１７は、固定支柱１５の左右方向で、第１支持部１３と第２支持部１４の背面側に折り畳まれて、コンパクトに収まる状態となる。なお、本実施形態では、第１パンタグラフ機構１６および第２パンタグラフ機構１７は、スクリーン本体１２との離間距離を狭めて最小限となるように設置させるため、第１支持部１３と第２支持部１４の背面側に近接して設置している。なお、この状態では、画像投影部１０において、アームスライド部１９を構成する支柱スライド部１９１と支柱スライド固定部１９２とは、互いに離間した状態となっている。
【０１３３】
また、図１１（ａ）に示すように、支持脚２０は、把持部２３３を上方向に押圧して脚スライド部２３を上方向にスライドさせることで、脚部２１を折り畳み、閉状態となり、第２固定支柱１５２を中心にコンパクトに収まる状態となる。使用者は、このように画像投影部１０と支持脚２０とをコンパクトに収めた状態のスクリーン１を抱えて移動（運搬）することができる。また、このような状態のスクリーン１を保管場所にスペースを取らずに保管することができる。
【０１３４】
また、図１１（ｂ）に示すように、スクリーン１を使用する場合、使用者により、最初に、支持脚２０の脚部２１を開状態とした場合、多段のリンク機構による脚部２１であるため、脚スライド部２３は、多段のリンク機構を備えない従来のものに比べて、少ないスライド量で広く展開させることができる。なお、支持脚２０の脚部２１を開状態とした後に、上述したように、画像投影部１０を展開する。
【０１３５】
図１２は、スクリーンを上方向から見た場合の平面図である。なお、図１２は、スクリーン１の使用状態での平面図であり、画像投影部１０の第１支持部１３および第２支持部１４を展開した状態で、支持脚２０の脚部２１も展開した状態となっている。また、図１２において、映像光が投影されるスクリーン１の前面側は、図面下方向であり、スクリーン１の背面側は、図面上方向である。
【０１３６】
図１１または図１２に示すように、本実施形態のスクリーン１は、画像投影部１０において、第１パンタグラフ機構１６と第２パンタグラフ機構１７との２つの分割された構成を有している。そして、第１パンタグラフ機構１６と第２パンタグラフ機構１７とは、スクリーン本体１２に平行で、スクリーン本体１２からの離間距離を固定支柱１５と略同様に最短となるように狭めて設定し、固定支柱１５を略中心として左右方向に設置される。そして、第１パンタグラフ機構１６および第２パンタグラフ機構１７により、第１支持部１３および第２支持部１４が固定される。
【０１３７】
この構成により、第１支持部１３、第２支持部１４、第１パンタグラフ機構１６、および第２パンタグラフ機構１７を固定支柱１５に極力近づけている。この構成により、スクリーン１は、スクリーン１の前面側から背面側において（スクリーン１の前後方向において）薄型化を図っている。また、スクリーン１は、画像投影部１０の前後方向の重量のバランス中心を固定支柱１５に近づけている。また、第１支持筐体１３１内部にスプリングロール１３２を配置し、第２支持筐体１４１内部に、コイルばね１４２を配置することで、画像投影部１０の左右方向の重量のバランス中心を固定支柱１５に略一致させている。
【０１３８】
また、支持脚２０は、多段のリンク機構を採用した脚部２１で構成される。そして、支持脚２０は、スクリーン１の前面側で、スクリーン本体１２に対して略垂直方向に展開する脚部２１Ａと、固定支柱１５を中心として、脚部２１Ａに対して略１２０°回転した方向に展開させることで、スクリーン１の背面側に展開する２つの脚部２１Ｂ，２１Ｃとを有して構成されている。この３つの脚部２１により、支持脚２０は、画像投影部１０を安定して固定する。また、スクリーン１の背面側に配置される脚部２１Ｂ，２１Ｃは、スクリーン１を壁際などに設置した場合に、壁と画像投影部１０との距離を狭める配置としている。
【０１３９】
上述した、実施形態によれば以下の効果が得られる。
（１）本実施形態のスクリーン１は、第１パンタグラフ機構１６と第２パンタグラフ機構１７との２つの分割された構成を有し、固定支柱１５を略中心として、第１支持部１３および第２支持部１４との間にそれぞれ設置される。この構成により、従来のような第１パンタグラフ機構と第２パンタグラフ機構とが一体に構成されて固定支柱で保持するパンタグラフ機構を有するスクリーンに比べて、第１パンタグラフ機構１６および第２パンタグラフ機構１７の、スクリーン本体１２や固定支柱１５に対する配置位置の自由度が増す。そのため、スクリーン１の重量のバランス中心を固定支柱１５の支柱方向に設定することができ、スクリーン１の重量バランスをとることができる。また、従来のように固定支柱を太くすることで重量バランスを補うことなどが不必要となり、スクリーン１の軽量化を図れる。
【０１４０】
（２）本実施形態のスクリーン１は、１つのアーム固定部１８が、固定支柱１５に固定されており、固定支柱１５側に設置される第１パンタグラフ機構１６および第２パンタグラフ機構１７のそれぞれ一方のアーム部材１６３，１７３を回動可能に軸支する。そして、１つのアームスライド部１９が、固定支柱１５に沿ってスライド自在に支持されており、固定支柱１５側に設置される第１パンタグラフ機構１６および第２パンタグラフ機構１７のそれぞれ他方のアーム部材１６１，１７１を回動可能に軸支してスライドする。この構成により、２つのスライドする構成部を用いて、第１パンタグラフ機構１６および第２パンタグラフ機構１７のそれぞれ両方のアーム部材１６１，１６３，１７１，１７３を回動可能に軸支して、かつ、スライド可能に構成した場合に比べて、スライドする構成部（アームスライド部１９）を１つで構成するため、コンパクトに構成できる。また、スライドする構成部（アームスライド部１９）を１つで構成し、一方のアーム部材１６３，１７３を固定して他方のアーム部材１６１，１７１だけをスライドさせるため、スライドする構成部を２つで構成する場合に比べ、第１パンタグラフ機構１６と第２パンタグラフ機構１７とを安定させて伸縮させることができる。このため、第１支持部１３および第２支持部１４を安定させて近接および離間させる（スクリーン本体１２を安定させて開閉させる）ことができる。
【０１４１】
（３）本実施形態のスクリーン１において、第１支持部１３は、第１固定部１３４と第１スライド固定部１３５とを備え、第２支持部１４は、第２固定部１４４と第２スライド固定部１４５とを備える。この構成により、アームスライド部１９をスライドすることにより、第１パンタグラフ機構１６および第２パンタグラフ機構１７が伸縮し、第１支持部１３および第２支持部１４を近接および離間させることにより、スクリーン本体１２は、張設されて開閉する。このように、スライドする構成部（第１スライド固定部１３５、第２スライド固定部１４５）をそれぞれ１つで構成しているため、第１支持部１３および第２支持部１４に、それぞれ２つのスライドする構成部を用いて対応するアーム部材１６２，１６４，１７２，１７４を回動可能に軸支してスライド可能にした場合に比べて、コンパクトに構成できる。また、スライドする構成部（第１スライド固定部１３５、第２スライド固定部１４５）をそれぞれ１つで構成し、一方のアーム部材１６４，１７４を固定して他方のアーム部材１６２，１７２のみをスライドするため、スライドする構成部をそれぞれ２つで構成する場合に比べ、第１パンタグラフ機構１６および第２パンタグラフ機構１７を安定させて伸縮させることができる。従って、スクリーン本体１２を安定させて開閉できる。
【０１４２】
（４）本実施形態のスクリーン１において、第１パンタグラフ機構１６および第２パンタグラフ機構１７は、固定支柱１５を挟み、スクリーン本体１２と平行で、スクリーン本体１２との離間距離を狭めて設置されている。この構成により、スクリーン本体１２に対して、第１パンタグラフ機構１６および第２パンタグラフ機構１７を接近させて設置することができる。これにより、スクリーン１をコンパクトで薄く構成することができる。また、第１パンタグラフ機構１６と第２パンタグラフ機構１７とは、スクリーン本体１２に平行で、スクリーン本体１２からの離間距離を固定支柱１５と略同様に最短となるように狭めて設定し、固定支柱１５を略中心として左右方向に設置される。この構成により、スクリーン１の前後方向の重量のバランス中心を固定支柱１５に近づけていることにより、固定支柱１５でスクリーン１の重量バランスをとり易くでき、固定支柱１５を大型化する必要がなくなるため、スクリーン１を小型軽量化できる構成とすることができる。
【０１４３】
（５）本実施形態のスクリーン１において、支柱スライド固定部１９２は、固定支柱１５に形成した所定の位置（第１固定孔１５１１、第２固定孔１５１２、第３固定孔１５１３）に支柱スライド固定部１９２を固定することで、支柱スライド部１９１を固定し、アームスライド部１９が固定される。そして、このそれぞれの位置に固定された場合に、スクリーン本体１２が展開されて形成される投影領域Ａ，Ｂ，Ｃが、投影される画像光のアスペクト比に対応している。これにより、使用者が所望するアスペクト比に対応する投影領域Ａ，Ｂ，Ｃを確保するようにスクリーン本体１２を容易に展開し、設定して固定することができるため、スクリーン１の利便性を向上することができる。また、画像光のアスペクト比に対応させて、スクリーン本体１２の投影領域Ａ，Ｂ，Ｃを設定することで、スクリーン本体１２の上下方向もしくは左右方向に余白が残ることを極力抑えることができ、使用者に与える視覚的な違和感を低減することができる。
【０１４４】
（６）本実施形態のスクリーン１において、第１支持部１３および第２支持部１４を離間させる方向に付勢する付勢部としてのコイルばね１４２を備えている。これにより、スクリーン本体１２を展開する場合に、使用者の第１支持部１３および第２支持部１４を離間させる力や、アームスライド部１９をスライドさせる力などを低減させることができる。
【０１４５】
（７）本実施形態のスクリーン１において、スクリーン本体１２を巻き取る巻取部としてのスプリングロール１３２を第１支持部１３に設置し、付勢部としてのコイルばね１４２を第２支持部１４に設置している。このため、スクリーン１の左右方向の重量のバランス中心を固定支柱１５に略一致させ、重量バランスをとり易くすることができ、スクリーン本体１２の左右方向の傾きを抑えることができる。
【０１４６】
（８）本実施形態のスクリーン１において、コイルばね１４２は、第２支持部１４を構成する第２支持筐体１４１の内部に設置されている。これにより、使用者が第１パンタグラフ機構１６および第２パンタグラフ機構１７を伸縮する際、指などがコイルばね１４２に当たることなどがなく、スムーズに行なうことができる。
【０１４７】
（９）本実施形態のスクリーン１において、付勢部はコイルばね１４２により構成されることにより、製造および組み立てが容易となる。また、構造が単純なコイルばね１４２であるため、不具合も発生しづらく、長期の信頼性が確保される。
【０１４８】
（１０）本実施形態のスクリーン１において、固定支柱１５、および第１パンタグラフ機構１６と第２パンタグラフ機構１７とを構成する複数のアーム部材１６１〜１６４，１７１〜１７４は、中空柱状の部材で形成されている。このため、固定支柱１５や複数のアーム部材１６１〜１６４，１７１〜１７４に必要な剛性力を確保することができる。また、第１パンタグラフ機構１６および第２パンタグラフ機構１７を伸縮させた場合（特に折り畳んだ場合）に、アーム部材が例えば板部材を打ち抜き加工で成形して構成した場合に比べ、交差するアーム部材１６１〜１６４，１７１〜１７４に指などを挟む危険性を低減できる。
【０１４９】
（１１）本実施形態のスクリーン１において、アームスライド部１９を構成する支柱スライド部１９１と支柱スライド固定部１９２とは別体として形成されている。従って、アームスライド部１９をスライドさせ、固定孔（第１固定孔１５１１、第２固定孔１５１２、第３固定孔１５１３）に支柱スライド固定部１９２を固定させる場合、最初に、支柱スライド固定部１９２のみをスライドさせて固定することでよく、一体で行なう場合に比べて、操作力も少なくてよいため、容易に行なえる。また、支柱スライド固定部１９２を固定した後に、支柱スライド部１９１の自重および付勢部による力で、支柱スライド部１９１が固定支柱１５に沿ってスライドし、支柱スライド固定部１９２に当接して固定することができる。この構成により、アームスライド部１９の操作性を向上することができ、スクリーン本体１２を所望する投影領域（投影領域Ａ，Ｂ，Ｃ）に展開させる動作を容易に行なうことができる。
【０１５０】
（１２）本実施形態のスクリーン１は、３つの脚部２１（２１Ａ，２１Ｂ，２１Ｃ）を有する支持脚２０を備えたことにより、設置面５００に当接させ、スクリーン１を起立させて支持することが安定して行なえる。
【０１５１】
（１３）本実施形態のスクリーン１は、画像投影部１０と支持脚２０とを一体化しているが、画像投影部１０を軽量化できると共に、支持脚２０を小型化できるため、スクリーン１の可搬性を向上させることができる。また、画像投影部１０を支持脚２０に組み立てる必要がなく、スクリーン１の利便性を向上することができる。
（第２実施形態）
【０１５２】
図１３は、第２実施形態に係るスクリーンの要部を背面側から見た場合の部分拡大図である。なお、本実施形態のスクリーン２は、第１実施形態のスクリーン１と比較して、付勢部としてのコイルばね１４８（第１実施形態では、コイルばね１４２に対応する）の設置場所が異なるのみであり、その他の部材は、第１実施形態と同様である。また、図１３において、第１実施形態と同様の構成部材には、同様の符号を付している。従って、以降では、第１実施形態と異なる部分に関して説明を行なう。
【０１５３】
本実施形態のスクリーン２では、付勢部としてのコイルばね１４８が、図１３に示すように、第２パンタグラフ機構１７を構成する回動軸１７１２および回動軸１７３４に引っ掛けられている。コイルばね１４８は、引っ張りコイルばねとして形成され、ばね本体１４８１とばね本体１４８１の両端に形成するフック１４８２とで構成されている。そして、本実施形態では、回動軸１７１２，１７３４が背面側に突出して形成されている。そして、コイルばね１４８は、この突出した部分に、フック１４８２が引っ掛けられて固定されている。このコイルばね１４８の動作により、第１支持部１３および第２支持部１４を離間させる方向に付勢している。
【０１５４】
上述した、実施形態によれば、付勢部に関係する効果以外は、第１実施形態と同様の効果を奏する。また、付勢部に関しては、以下の効果が得られる。
（１）本実施形態のスクリーン２は、付勢部としてのコイルばね１４８を、第２パンタグラフ機構１７を構成するアーム部材（詳細には、アーム部材１７１，１７４）に設置しており、スクリーン本体１２を展開する場合に使用者が必要とする力を低減させることができる。
（第３実施形態）
【０１５５】
図１４は、第３実施形態に係るスクリーンの要部を背面側から見た場合の部分拡大図である。なお、本実施形態のスクリーン３は、第１実施形態のスクリーン１と比較して、付勢部としてのコイルばね２００（第１実施形態では、コイルばね１４２に対応する）の設置場所が異なるのみであり、その他の部材は、第１実施形態と同様である。また、図１４において、第１実施形態と同様の構成部材には、同様の符号を付している。従って、以降では、第１実施形態と異なる部分に関して説明を行なう。なお、図１４は、固定支柱１５、アームスライド部１９、およびアーム固定部１８を図示し、その他、第１パンタグラフ機構１６や第２パンタグラフ機構１７などは図示を省略している。
【０１５６】
本実施形態のスクリーン３では、付勢部としてのコイルばね２００が、図１４に示すように、固定支柱１５を構成する第１固定支柱１５１の内部に設置されている。コイルばね２００は、引っ張りコイルばねとして形成され、ばね本体２００１とばね本体２００１の両端に形成するフック２００２とで構成されている。
【０１５７】
そして、本実施形態では、第１固定支柱１５１の左側の側面で、第１固定支柱１５１の延出方向に沿ってスライド孔１５１６が形成されている。また、アームスライド部１９を構成する支柱スライド部１９１の左側の側面で、スライド孔１５１６に対応する部分には、内面側に突出する突出部１９１５が形成されている。また、アーム固定部１８の下方で、第１固定支柱１５１には、内部に向かって突出する突出部１５１７が形成されている。
【０１５８】
コイルばね２００は、一方のフック２００２を突出部１９１５に引っ掛け、他方のフック２００２を突出部１５１７に引っ掛けて設置されている。この構成により、支柱スライド部１９１が第１固定支柱１５１に沿ってスライドする場合、従動して、突出部１９１５がスライド孔１５１６に沿ってスライドする。このコイルばね２００の動作により、第１支持部１３および第２支持部１４を離間させる方向に付勢している。
【０１５９】
上述した、実施形態によれば、付勢部に関係する効果以外は、第１実施形態と同様の効果を奏する。また、付勢部に関しては、以下の効果が得られる。
（１）本実施形態のスクリーン３は、付勢部としてのコイルばね２００を、固定支柱１５の内部に設置しており、スクリーン本体１２を展開する場合に使用者が必要とする力を低減させることができる。
【０１６０】
なお、上述した実施形態に限定されず、種々の変更や改良などを加えて実施することが可能である。変形例を以下に述べる。
【０１６１】
（変形例１）前記実施形態において、第１パンタグラフ機構１６と第２パンタグラフ機構１７とは、スクリーン本体１２に平行で、スクリーン本体１２からの離間距離を固定支柱１５と略同様に最短となるように狭めて設定し、固定支柱１５を略中心として左右方向に設置される。しかし、これに限定されず、画像投影部１０の重量のバランスをとるために、第１パンタグラフ機構１６と第２パンタグラフ機構１７とを、スクリーン本体１２に平行で、固定支柱１５の左右方向で、スクリーン本体１２からの離間距離を固定支柱１５と異ならせて設置してもよい。このように、第１パンタグラフ機構１６と第２パンタグラフ機構１７とに分割することで、画像投影部１０の前後方向のバランスを取るための配置に関する自由度を向上させている。
【０１６２】
（変形例２）前記実施形態において、支柱スライド固定部１９２は、第１固定孔１５１１、第２固定孔１５１２、第３固定孔１５１３に固定することで、スクリーン本体１２が展開されて形成される投影領域Ａ，Ｂ，Ｃを、投影される画像光のアスペクト比（「４：３」、「１６：１０」、「１６：９」）に対応させている。しかし、投影領域は、この３つに限定されることはなく、その他の画像光のアスペクト比に対応させることもできる。その場合、その他の画像光のアスペクト比に対応させる固定孔を形成し、支柱スライド固定部１９２を固定することで可能となる。
【０１６３】
（変形例３）前記実施形態において、支柱スライド固定部１９２は、投影される画像光のアスペクト比に、スクリーン本体１２に形成される投影領域Ａ，Ｂ，Ｃのアスペクト比を対応させる位置に固定されている。しかし、これに限られず、投影される画像光のアスペクト比とは無関係に、任意の位置で固定してもよい。
【０１６４】
（変形例４）第１実施形態において、付勢部としてのコイルばね１４２は、第２支持部１４に設置されている。しかし、これに限られず、第１支持部１３に設置してもよい。また、第１支持部１３および第２支持部１４の両方に設置してもよい。
【０１６５】
（変形例５）第２実施形態において、付勢部としてのコイルばね１４８は、第２パンタグラフ機構１７のアーム部材に設置されている。しかし、これに限られず、第１パンタグラフ機構１６を構成するアーム部材に設置してもよい。
【０１６６】
（変形例６）前記実施形態において、付勢部としてのコイルばね１４２，１４８，２００は、引っ張りコイルばねとして構成しているが、圧縮コイルばねとして構成してもよい。
【０１６７】
（変形例７）前記実施形態において、付勢部として、コイルばね１４２，１４８，２００を用いている。しかし、これに限られず、コイルばね以外の弾性部材で構成してもよい。
【図面の簡単な説明】
【０１６８】
【図１】第１実施形態に係るスクリーンの概略構成を示す斜視図。
【図２】スクリーンの概略構成を示す斜視図。
【図３】スクリーンの要部を背面側から見た場合の部分拡大図。
【図４】付勢部の構成を示す平面図。
【図５】支柱スライド固定部の断面図。
【図６】支柱スライド固定部が固定支柱の所定の位置にアームスライド部を固定した状態を示す図であり、（ａ）は投影領域のアスペクト比が略「４：３」となる位置で固定した図であり、（ｂ）は投影領域のアスペクト比が略「１６：１０」となる位置で固定した図であり、（ｃ）は投影領域のアスペクト比が略「１６：９」となる位置で固定した図。
【図７】支持脚の概略構成を示す斜視図。
【図８】閉状態の支持脚を示す斜視図。
【図９】閉状態の支持脚を左方向から見た場合の平面図。
【図１０】開状態の支持脚を左方向から見た場合の平面図。
【図１１】スクリーン本体を閉じた状態でのスクリーンを示す斜視図であり、（ａ）は脚部が閉状態での斜視図であり、（ｂ）は脚部が開状態での斜視図。
【図１２】スクリーンを上方向から見た場合の平面図。
【図１３】第２実施形態に係るスクリーンの要部を背面側から見た場合の部分拡大図。
【図１４】第３実施形態に係るスクリーンの要部を背面側から見た場合の部分拡大図。
【符号の説明】
【０１６９】
１，２，３…スクリーン、１２…スクリーン本体、１３…第１支持部、１４…第２支持部、１５…固定支柱、１６…第１パンタグラフ機構、１７…第２パンタグラフ機構、１８…アーム固定部、１９…アームスライド部、２０…支持脚、２１…脚部、２２…脚固定部、２３…脚スライド部、１３２…スプリングロール、１３４…第１固定部、１３５…第１スライド固定部、１４２，１４８，２００…コイルばね、１４４…第２固定部、１４５…第２スライド固定部、１５１…第１固定支柱、１５２…第２固定支柱、１６１〜１６４，１７１〜１７４…アーム部材、１９１…支柱スライド部、１９２…支柱スライド固定部、２１１…第１脚部、２１２…第２脚部、２１３…第３脚部、２１４…脚規制部材、５００…設置面、２１１１…当接部、２１１１ａ…端部面、２２１１…下端面。
【図１】
2010019953.tif 000003
【図２】
2010019953.tif 000004
【図３】
2010019953.tif 000005
【図４】
2010019953.tif 000006
【図５】
2010019953.tif 000007
【図６】
2010019953.tif 000008
【図７】
2010019953.tif 000009
【図８】
2010019953.tif 000010
【図９】
2010019953.tif 000011
【図１０】
2010019953.tif 000012
【図１１】
2010019953.tif 000013
【図１２】
2010019953.tif 000014
【図１３】
2010019953.tif 000015
【図１４】
2010019953.tif 000016